(57)【要約】【課題】  スプレー缶の交換を容易に行えることができる噴霧装置を提供する。【解決手段】  スプレー缶８２上部の折返し部９４を、缶取付部８５の挿入溝１１３に挿入した状態で、スプレー缶８２のパイプ１０１及びノズル１０２は、前方開口状の上方挿通部１２２に挿入され、首部９２は前方開口状の下方挿通部１３２に挿入される。このため、スプレー缶８２を前方にスライドすることで缶取付部８５から取り外すことができる。そして、新たなスプレー缶８２をセットする際には、スプレー缶８２の折返し部９４を挿入溝１１３に挿入する。すると、パイプ１０１及びノズル１０２が上方挿通部１２２に挿入され、首部９２が下方挿通部１３２に挿入される。このとき、折返し部９４と首部９２間の括れ部９５には支持爪１３３が挿入され、折返し部９４が支持爪１３３で支持された状態でスプレー缶８２が取り付けられる。【選択図】        図７
2006326512.tif 000002
【特許請求の範囲】
【請求項１】
スプレー缶が交換自在にセットされる噴霧装置において、
前記スプレー缶を支持する缶取付部を本体部より前方に延出し、該缶取付部に、前記スプレー缶の上部に設けられた折返し部が抜き差し自在に挿入される前方開口状の挿入溝と、該挿入溝に前記折返し部が挿入された前記スプレー缶のノズル部分を上方へ延出する為の前方開口状の上方挿通部と、前記挿入溝に前記折返し部が挿入された前記スプレー缶の前記折返し部より下方に延出した首部を挿通する為の前方開口状の下方挿通部とを設けるとともに、該下方挿通部の開口縁部に、前記折返し部と前記首部間に形成された括れ部に挿入され前記折返し部を下方から支持する支持爪を形成したことを特徴とする噴霧装置。
【請求項２】
前記本体部は、ノズル操作部の駆動により前記スプレー缶のノズル部を作動させるノズル操作機構を備え、当該本体部に、前記スプレー缶交換時に開閉される蓋部を開閉可能に支持したことを特徴とする請求項１記載の噴霧装置。
【請求項３】
前記缶取付部を、前記本体部より前方に突出するとともに後方へ向けて開口した中空状の突出部と、該突出部の先端より前方へ向けて延出した前方延出部とを設定したことを特徴とする請求項１又は２記載の噴霧装置。
【請求項４】
前記缶取付部に前記スプレー缶を支持した状態で、当該スプレー缶の底面を支持する支持板を前記缶取付部に対向して設けたことを特徴とする請求項１、２又は３記載の噴霧装置。
【発明の詳細な説明】
【技術分野】
【０００１】
本発明は、スプレー缶をセットして使用する噴霧装置に関する。
【背景技術】
【０００２】
従来、ケース内にセットしたスプレー缶から噴霧剤を自動的に噴霧させる噴霧装置が知られている（例えば、特許文献１）。
【０００３】
この噴霧装置には、スプレー缶を取り付けるための第１のスプレー缶取付部が設けられており、該第１のスプレー缶取付部の前方延長部には、円弧状の切り欠き部が設けられている。また、前記第１のスプレー缶取付部に固定される第２のスプレー缶取付部にも、円弧状の切り欠き部が設けられている。
【０００４】
これにより、両スプレー缶取付部の切り欠き部に前記スプレー缶の頸部を位置決めするとともに、両スプレー缶取付部で前記スプレー缶を挟持した状態で前記第２のスプレー缶取付部を前記第１のスプレー缶取付部に蝶ナットで固定することによって、前記スプレー缶を噴霧装置に固定できるように構成されている。
【特許文献１】特開平１０−３２８５９０号公報
【発明の開示】
【発明が解決しようとする課題】
【０００５】
しかしながら、このような従来の噴霧装置にあっては、スプレー缶を交換する度に蝶ナットを緩めて第１のスプレー缶取付部から第２のスプレー缶取付部を取り外さなければならなかった。
【０００６】
このため、スプレー缶の交換に手間がかかるという問題があった。
【０００７】
本発明は、このような従来の課題に鑑みてなされたものであり、スプレー缶の交換を容易に行えることができる噴霧装置を提供することを目的とするものである。
【課題を解決するための手段】
【０００８】
前記課題を解決するために本発明の請求項１の噴霧装置にあっては、スプレー缶が交換自在にセットされる噴霧装置において、前記スプレー缶を支持する缶取付部を本体部より前方に延出し、該缶取付部に、前記スプレー缶の上部に設けられた折返し部が抜き差し自在に挿入される前方開口状の挿入溝と、該挿入溝に前記折返し部が挿入された前記スプレー缶のノズル部分を上方へ延出する為の前方開口状の上方挿通部と、前記挿入溝に前記折返し部が挿入された前記スプレー缶の前記折返し部より下方に延出した首部を挿通する為の前方開口状の下方挿通部とを設けるとともに、該下方挿通部の開口縁部に、前記折返し部と前記首部間に形成された括れ部に挿入され前記折返し部を下方から支持する支持爪を形成した。
【０００９】
すなわち、スプレー缶の噴霧剤が無くなった際には、セットされたスプレー缶を交換する。このとき、スプレー缶上部の折返し部は、前記缶取付部に設けられた前方開口状の挿入溝に抜き差し自在に挿入されている。また、前記スプレー缶のノズル部分は、前方開口状の上方挿通部に挿入されているとともに、前記折返し部より下方に延出した首部は、前方開口状の下方挿通部に挿入されている。このため、前記スプレー缶を前記缶取付部の前方にスライドすることによって、前記スプレー缶は、前記缶取付部から取り外される。
【００１０】
そして、新たなスプレー缶をセットする際には、スプレー缶に設けられた折返し部を前記缶取付部の前方開口状の挿入溝に挿入する。すると、前記スプレー缶のノズル部分が前方開口状の上方挿通部に挿入されるとともに、前記折返し部より下方に延出した首部が前方開口状の下方挿通部に挿入される。
【００１１】
この状態において、前記折返し部と前記首部間に形成された括れ部には、前記下方挿通部の開口縁部に設けられた支持爪が挿入される。これにより、当該スプレー缶は、前記折返し部が前記支持爪により支持された状態で、前記本体部に取り付けられる。
【００１２】
このように、前記缶取付部に設けられた挿入溝に前記スプレー缶の前記折返し部を抜き差しすることで、当該スプレー缶は着脱される。
【００１３】
また、請求項２の噴霧装置においては、前記本体部は、ノズル操作部の駆動により前記スプレー缶のノズル部を作動させるノズル操作機構を備え、当該本体部に、前記スプレー缶交換時に開閉される蓋部を開閉可能に支持した。
【００１４】
これにより、本体部にセットされたスプレー缶は、蓋部によって開閉自在に隠蔽される。
【００１５】
さらに、請求項３の噴霧装置では、前記缶取付部を、前記本体部より前方に突出するとともに後方へ向けて開口した中空状の突出部と、該突出部の先端より前方へ向けて延出した前方延出部とを設定した。
【００１６】
すなわち、缶取付部が板状に形成された場合には、スプレー缶のノズルを押下した際に、当該缶取付部が撓んでしまい、噴霧方向が下方になってしまったり、適切にノズルを押下できないことがある。
【００１７】
そこで、前記缶取付部の突出部を後方へ向けて開口した中空状とすることで、断面コ字形状の補強構造を形成することができる。これにより、缶取付部の強度が向上するため、ノズルを適切に押下することができるとともに、噴霧方向が下向きになるといった不具合を確実に防止することができる。
【００１８】
加えて、請求項４の噴霧装置においては、前記缶取付部に前記スプレー缶を支持した状態で、当該スプレー缶の底面を支持する支持板を前記缶取付部に対向して設けた。
【００１９】
これにより、本体部にセットされた前記スプレー缶は、上部に設けられた折返し部が缶取付部に支持される一方、その底面が支持板で支持される。
【発明の効果】
【００２０】
以上説明したように本発明の請求項１の噴霧装置にあっては、スプレー缶の折返し部を、缶取付部に設けられた挿入溝に抜き差しするだけで、当該スプレー缶を着脱することができる。
【００２１】
このため、スプレー缶を交換する度に蝶ナットを緩めて第１のスプレー缶取付部から第２のスプレー缶取付部を取り外さなければならなかった従来と比較して、交換作業が容易となり、利便性を向上することができる。
【００２２】
また、請求項２の噴霧装置においては、本体部にセットされたスプレー缶を、蓋部によって開閉自在に隠蔽することができる。
【００２３】
さらに、請求項３の噴霧装置では、缶取付部の突出部を後方へ向けて開口した中空状とすることで、断面コ字形状の補強構造を形成することができる。これにより、缶取付部の強度が向上するため、ノズルを適切に押下することができるとともに、噴霧方向が下向きになるといった不具合を確実に防止することができる。
【００２４】
加えて、請求項４の噴霧装置においては、スプレー缶を本体部にセットした状態で、該スプレー缶の上部に設けられた折返し部を缶取付部で支持するとともに、当該スプレー缶の底面を支持板で支持することができる。これにより、前記スプレー缶の上部と下部とを支持することができる。
【００２５】
このとき、前記スプレー缶の上部に設けられた折返し部は、前記缶取付部で支持することができる。このため、スプレー缶の底面が前記支持板に達しない場合には、前記缶取付部のみで当該スプレー缶を支持することができる。
【発明を実施するための最良の形態】
【００２６】
以下、本発明の一の実施の形態を図に従って説明する。図１は、本実施の形態にかかる噴霧装置１を示す図であり、該噴霧装置１は、芳香剤や消臭剤や殺虫剤などの噴霧剤を自動的に噴霧する装置である。
【００２７】
この噴霧装置１のケース１１は、本体部１２と、該本体部１２の下端部に支持された蓋部１３とによって構成されており、該蓋部１３を前記本体部１２に沿って起立することで、当該本体部１２の前方開口部を閉鎖できるうように構成されている。
【００２８】
これにより、前記ケース１１にセットされた後述するスプレー缶８２を前記蓋部１３によって開閉自可能に隠蔽することができる。
【００２９】
前記蓋部１３は、図２から図４にも示すように、上端部が先細りした形状に形成されており、当該上端部は、先端に向かうに従って後方へ傾斜するように構成されている（図３参照）。この蓋部１３の前面２１の上端部には、前記噴霧剤を放出する為の放出口２２が設けられており、該放出口２２は、前記蓋部１３に取り付けられた放出口構成部材２３によって構成されている。
【００３０】
該放出口構成部材２３は、図５にも示すように、前記蓋部１３の内側に後退したお椀形状に形成されており、前記ケース１１の側面より内側に没入した没入部３１を構成している。該没入部３１の開口縁部には、側方に延出するフランジ３２が形成されており、該フランジ３２には、前記蓋部１３に設けられた取付穴３３の開口縁部に係合する係合爪３４が設けられている。
【００３１】
前記没入部３１は、図２に示したように、縦長の楕円形状に形成されており、当該没入部３１の壁面４１は湾曲面で構成され、その縦断面形状は、図５に示したように、内側に突出した円弧状に形成されている。この没入部３１の奥側には、図１及び図２並びに図５に示すように、前記放出口２２から噴霧剤を噴霧する為の縦長楕円形状の開口部４２が開設されており、該開口部４２の開口縁の下縁からは、断面円弧状の垂れ防止部４３が内側へ向けて延出している。
【００３２】
前記没入部３１の前記壁面４１には、当該没入部３１の幅方向の中央部であって、前記開口部４２より低い位置に当該ケース１１内に連通する連通穴４５が開設されており、該連通穴４５は、前記放出口２２の開口縁近傍に設けられている。この放出口構成部材２３は、上方へ向かうに従って後方に傾斜した面に沿って取り付けられており、図５に示したように、円弧状を成す縦断面形状において、最も低い位置が前記放出口２２の開口縁より内側に位置するように設定され、この最も低い低位置に前記連通穴４５が設けられている。
【００３３】
また、前記蓋部１３の前面２１には、前記放出口２２より下側に位置する部位に内側に延出する液受け部５１が設けられており、該液受け部５１は、前記蓋部１３の内側面に沿って延設されている。そして、この液受け部５１の突出量は、前記連通穴４５の下部位置まで延出する長さに設定されており、前記連通穴４５より垂下した仮想線５２と交差するように構成されている。
【００３４】
前記放出口２２の上部には、発光ダイオード６１が設けられており、図２から図４に示したように、当該噴霧装置１の側部に設けられたスイッチ６２を操作したオン状態では、前記発光ダイオード６１の点灯から当該噴霧装置１の作動状態を確認できるように構成されている。
【００３５】
前記本体部１２は、図６に示すように、その背面７１に矩形状の凹部７２が設けられており、該凹部７２の上部には、三角形状のフック係止穴７３が設けられている。該フック係止穴７３の頂点部には、上方へ向けて延在する切欠部７４が設けられており、部屋の壁面に設けられたフックを当該切欠部７４に係止することで、当該噴霧装置１を前記壁面に掛けられるように構成されている。
【００３６】
この本体部１２の下端には、図１に示したように、前方に張り出した支持板８１が設けられている。該支持板８１は、図５及び図７に示したように、スプレー缶８２の底面８３より大きく設定されており、当該スプレー缶８２の底面８３を下方から支持できるように構成されている。この支持板８１の上部には、前記スプレー缶８２を保持する保持部８４が形成されている。前記支持板８１に対向した部位には、図５及び図７並びに図８に示すように、缶取付部８５が設けられており、該缶取付部８５にスプレー缶８２を交換自在にセットできるように構成されている。
【００３７】
ここで、このスプレー缶８２は、図５及び図７に示したように、噴霧剤が収容された円筒容器状の缶本体９１を備えており、該缶本体９１の上部には、上方へ向かうに従って縮径する首部９２が前記缶本体９１上縁に上部カシメ部９３を介して固定されている。前記首部９２の上部開口部は、図外の缶蓋部によって閉鎖されており、該缶蓋部は、その周縁が前記首部９２の上縁を外嵌するように折曲された状態で固定されている。これにより、前記首部９２の上縁には、折返し部９４が形成されており、該折返し部９４と前記首部９２との間には、内側に後退した括れ部９５が全周に渡って形成されている。
【００３８】
前記缶蓋部の中央には、前記缶本体９１内に連通したパイプ１０１が後退可能に立設されており、当該パイプ１０１を下方に押圧して後退させた際には、図外の弁部を解放して前記缶本体９１内の噴霧剤を外部へ噴出できるように構成されている。このパイプ１０１には、ノズル１０２が嵌着されており、該ノズル１０２からは、前記噴霧剤を噴霧する為の噴霧口が設けられた前方延出部１０３が前方へ向けて延出している。
【００３９】
前記缶取付部８５は、図５及び図７並びに図８に示すように、前記本体部１２の前記背面７１に前記凹部７２を形成する為に設けられた前方に突出するとともに後方へ向けて開口した中空状の突出部１１１と、該突出部１１１の先端より前方へ向けて延出した前方延出部１１２とによって構成されており、前記突出部は、断面コ字状に形成されている。この前方延出部１１２の前端には、前記スプレー缶８２の上部に設けられた前記折返し部９４が抜き差し自在に挿入される前方開口状の挿入溝１１３が形成されている。
【００４０】
この挿入溝１１３の上部に残存する上板部１２１には、前記挿入溝１１３に前記折返し部９４が挿入された前記スプレー缶８２のノズル部分、具体的には前記パイプ１０１及び前記ノズル１０２を上方へ延出する為の前方開口状の上方挿通部１２２が形成されており、前記ノズル１０２の前記前方延出部１０３を前記放出口２２へ向けて延出できるように構成されている。
【００４１】
また、前記挿入溝１１３の下部に残存した下板部１３１には（図８参照）、前記挿入溝１１３に前記折返し部９４が挿入された前記スプレー缶８２の前記首部９２を挿通する為の前方開口状の下方挿通部１３２が円弧状に形成されている。この下方挿通部１３２の開口縁部には、前記スプレー缶８２の前記折返し部９４と前記首部９２間に形成された前記括れ部９５に挿入され、前記折返し部９４を下方から支持する支持爪１３３が全域に渡って形成されている。
【００４２】
前記保持部８４に位置する前記本体部１２の前記背面７１には、図７に示したように、一対の縦リブ１４１，１４１と、両縦リブ１４１，１４１と交差する一対の横リブ１４２，１４２とが設けられており、該横リブ１４２，１４２は、前記保持部８４にセットされた前記スプレー缶８２の缶本体９１に沿って湾曲した円弧状に形成されている。前記保持部８４の両脇には、電池収容部１４３，１４３が設けられており、両電池収容部１４３，１４３に乾電池を収容できるように構成されている。
【００４３】
前記保持部８４の上部には、図１及び図５に示したカバー１５１で覆われた制御部空間１５２が形成されており、該制御部空間１５２には、図７に示すように、前記電池収容部１４３，１４３の乾電池で作動する電子回路が形成された電子基板１５３と、該電子基板１５３からの信号で作動するモータを備えた機構部１５４とが設けられている。該機構部１５４には、複数のギアと該ギアで駆動されるノズル操作部１５５とが設けられており、前記モータの駆動力で前記ノズル操作部１５５が作動した際に、該ノズル操作部１５５に設けられた凸部１５６が前記保持部８４に保持された前記スプレー缶８２のノズル１０２を下方に押し下げ、該ノズル１０２から噴霧剤を噴出するように構成されている。
【００４４】
以上の構成にかかる本実施の形態において、スプレー缶８２の噴霧剤が無くなった際には、セットされたスプレー缶８２を交換する。このとき、スプレー缶８２上部の折返し部９４は、前記缶取付部８５に設けられた前方開口状の挿入溝１１３に抜き差し自在に挿入されている。また、前記スプレー缶８２のノズル部分、すなわちパイプ１０１及びノズル１０２は、前方開口状の上方挿通部１２２に挿入されているとともに、前記折返し部９４より下方に延出した首部９２は、前方開口状の下方挿通部１３２に挿入されている。このため、前記スプレー缶８２を前記缶取付部８５の前方にスライドすることによって当該スプレー缶８２を前記缶取付部８５から取り外すことができる。
【００４５】
そして、新たなスプレー缶８２をセットする際には、スプレー缶８２に設けられた折返し部９４を前記缶取付部８５の前方開口状の挿入溝１１３に挿入する。すると、前記スプレー缶８２のノズル部分、すなわちパイプ１０１及びノズル１０２が前方開口状の前記上方挿通部１２２に挿入されるとともに、前記首部９２が前方開口状の前記下方挿通部１３２に挿入される。
【００４６】
この状態において、前記折返し部９４と前記首部９２間に形成された括れ部９５には、前記下方挿通部１３２の開口縁部に設けられた支持爪１３３が挿入される。これにより、当該スプレー缶８２を、前記折返し部９４が前記支持爪１３３で下方から支持された状態で、前記本体部１２に取り付けることができる。
【００４７】
このように、前記缶取付部８５に設けられた前記挿入溝１１３に前記スプレー缶８２の前記折返し部９４を抜き差しするだけで、当該スプレー缶８２を着脱することができる。このため、スプレー缶８２を交換する度に蝶ナットを緩めて第１のスプレー缶取付部から第２のスプレー缶取付部を取り外さなければならなかった従来と比較して、交換作業が容易となり、利便性を向上することができる。
【００４８】
また、前記スプレー缶８２を前記本体部１２にセットした状態で、当該スプレー缶８２の上部に設けられた前記折返し部９４を前記缶取付部８５で支持するとともに、当該スプレー缶８２の底面８３を支持板８１で支持することができる。これにより、前記スプレー缶８２の上部と下部とを支持することができる。
【００４９】
このとき、前記スプレー缶８２の上部に設けられた前記折返し部９４を前記缶取付部８５で支持することができる。このため、スプレー缶８２の底面８３が前記支持板８１に達しない場合であっても、前記缶取付部８５のみで当該スプレー缶８２を支持することができる。
【００５０】
これにより、サイズの異なるスプレー缶であっても、容易に着脱することができる。
【００５１】
一方、前記缶取付部８５の突出部１１１は、後方へ向けて開口した中空状に形成されており、断面コ字形状の補強構造が形成されている。これにより、缶取付部８５の強度を向上することができる。
【００５２】
このため、缶取付部が板状に形成されていてスプレー缶のノズルを押下した際に撓んでしまう従来と比較して、ノズル１０２を適切に押下することができるとともに、噴霧方向が下向きになるといった不具合を確実に防止することができる。
【図面の簡単な説明】
【００５３】
【図１】本発明の一実施の形態を示す斜視図である。
【図２】同実施の形態を示す正面図である。
【図３】同実施の形態を示す側面図である。
【図４】同実施の形態を示す平面図である。
【図５】図４のＡ−Ａ線に沿った断面図である。
【図６】同実施の形態を示す背面図である。
【図７】同実施の形態の本体部からカバーを外した状態を示す図である。
【図８】図７のＢ−Ｂ線に沿った断面図である。
【符号の説明】
【００５４】
１    噴霧装置
１２    本体部
８１    支持板
８２    スプレー缶
８３    底面
８５    缶取付部
９２    首部
９５    括れ部
１０２    ノズル
１１１    突出部
１１２    前方延出部
１５４    機構部
１５５    ノズル操作部
１１３    挿入溝
１２２    上方挿通部
１３２    下方挿通部
１３３    支持爪
【図１】
2006326512.tif 000003
【図２】
2006326512.tif 000004
【図３】
2006326512.tif 000005
【図４】
2006326512.tif 000006
【図５】
2006326512.tif 000007
【図６】
2006326512.tif 000008
【図７】
2006326512.tif 000009
【図８】
2006326512.tif 000010